(57)【要約】【課題】破損の恐れがない開封構造を有するシート成形容器を提供する。【解決手段】容器本体と、該容器本体の開口周縁部に外嵌合するスカート部を有する蓋とを備えて、少なくとも前記蓋はシート成形する。蓋のスカート部には、その外嵌合時に前記容器本体の開口周縁部に弾性的に係脱可能に係合するアンダーカット部を形成する。容器本体及び蓋のそれぞれには、その外嵌合時に互いに重なる平面部を上下一対に設ける。このうち蓋に設けた上側の平面部には、透孔を設ける。その一方、容器本体に設けた下側の平面部には、透孔を挿通して上向きに突出する指押さえ部を一体に設ける。そして、指押さえ部を上方から下向きに押さえて下側平面部と上側平面部とを相対的に離反させる操作により、容器本体の開口周縁部と蓋の前記アンダーカット部との係合を解除可能とした。【選択図】図８
2017007670.tif 000002
【特許請求の範囲】
【請求項１】
容器本体と、該容器本体の開口周縁部に外嵌合するスカート部に前記開口周縁部に弾性的に係脱可能なアンダーカット部を有してシート成形した蓋とを備え、
前記容器本体及び前記蓋には、前記アンダーカット部が前記開口周縁部に係合する部分において互いに重なる平面部を上下一対に設け、
前記蓋に設けた上側の前記平面部には透孔を設ける一方、
前記容器本体に設けた下側の前記平面部には、前記透孔を挿通して上向きに突出する指押さえ部を一体に設け、
該指押さえ部を上方から下向きに押さえて前記下側平面部と前記上側平面部とを相対的に離反させる操作により、前記容器本体の前記開口周縁部と前記蓋の前記アンダーカット部との係合を解除可能としたことを特徴とする易開封性容器。
【請求項２】
蓋のスカート部は、その外嵌合時に容器本体の開口周縁部よりも長く下方に垂れ下がる長さに形成し、指押さえ部を起点として前記スカート部の下端を上方に押し上げる操作によりアンダーカット部の係合を解除可能とした請求項１記載の易開封性容器。
【請求項３】
アンダーカット部と開口周縁部との係合力を、指押さえ部を単独で下方に押し下げる操作により解除可能に設定した請求項１記載の易開封性容器。
【請求項４】
容器本体に設けた下側の平面に凹溝を設けると共に、蓋に設けた上側の平面部には前記凹溝に嵌合する凸条を設けた請求項１、２または３記載の易開封性容器。
【請求項５】
容器本体の開口周縁部にもスカート部を形成し、該スカート部に凹溝の両端を延長して設けた請求項３記載の易開封性容器。
【請求項６】
蓋の透孔には、成形時に該透孔を閉塞し、容器本体への前記蓋の外嵌合時に指押さえ部によって斜め上方に押し上げられるフラップを設けた請求項１から５のうち何れか一項記載の易開封性容器。
【請求項７】
フラップは、視覚または／および触覚によって他の部位と識別可能である請求項６記載の易開封性容器。
【請求項８】
容器本体及び蓋は平面視矩形に形成し、その四つ角のうち少なくとも一つの角に上下一対の平面部を設けた請求項１から７のうち何れか一項記載の易開封性容器。
【発明の詳細な説明】
【技術分野】
【０００１】
本発明は、容器本体に蓋を嵌合して装着するシート成形容器に係り、ワンタッチで嵌合部分を解除して蓋の開封性を高めた構成に関するものである。
【背景技術】
【０００２】
蓋を嵌合により容器本体に装着するシート成形容器に関して、特許文献１には、容器本体（第１容体）と蓋（第２容体）に、互いに合着する第１嵌合部ならびに第２嵌合部、及び該嵌合部と一体に連設された第１外周フランジ部ならびに第２外周フランジ部、及び該フランジ部の一部の対応する位置には平面視三角形状の第１ヒレ部ならびに第２ヒレ部をそれぞれ形成し、さらに第１ヒレ部には平板状の第１つまみ部を形成し、第２ヒレ部には第１つまみ部に当接する膨出部を設けて、その合着方向と反対方向へ跳ね上がった第２つまみ部とが形成された構成が開示されている。そして、開封時には、第１つまみ部と第２つまみ部とをつまみ合わせることによって、第２つまみ部の第２ヒレ部がテコの原理により第１つまみ部を押し下げることで容器本体と蓋の嵌合を解除するもので、蓋を容易に開封できるようにしている。
【先行技術文献】
【特許文献】
【０００３】
【特許文献１】特開２００４−３０７０１５号公報
【発明の概要】
【発明が解決しようとする課題】
【０００４】
特許文献１のものは、容器本体に蓋を嵌合装着した開封前の状態で、開封構造の一部である第２つまみ部の第２ヒレ部が容器本体の第１つまみ部から斜め上方に大きく出っ張っている。このため、容器の搬送中等に第２ヒレ部が他の物に引っ掛かる可能性が高く、これによって第２ヒレ部が変形あるいは破損する恐れがある。
【０００５】
本発明は上述した課題を解決するためになされたもので、その目的とするところは、破損の恐れがない開封構造を有するシート成形容器を提供することである。
【課題を解決するための手段】
【０００６】
上述した目的を達成するために本発明では、容器本体と、該容器本体の開口周縁部に外嵌合するスカート部を有する蓋とを備えて、少なくとも前記蓋はシート成形すると共に、該蓋の前記スカート部には、その外嵌合時に前記容器本体の開口周縁部に弾性的に係脱可能に係合するアンダーカット部を形成した容器であることを基本的構成とする。そのうえで、前記容器本体及び前記蓋には、前記アンダーカット部が前記開口周縁部に係合する部分において互いに重なる平面部を上下一対に設ける。このうち前記蓋に設けた上側の前記平面部には透孔を設ける一方、前記容器本体に設けた下側の前記平面部には、前記透孔を挿通して上向きに突出する指押さえ部を一体に設ける。そして、該指押さえ部を上方から下向きに押さえて前記下側平面部と前記上側平面部とを相対的に離反させる操作により、前記容器本体の前記開口周縁部と前記蓋の前記アンダーカット部との係合を解除可能とするという手段を用いた。
【０００７】
上記手段によれば、容器本体と蓋とに設けた上下一対の平面部を相対的に離反させる操作によってアンダーカット部の係合を解除し、もって蓋を開封するが、容器本体に設けた下側の平面部には蓋に設けた上側の平面部が重なっており、当該下側平面部を指で直接操作することはできない。また、容器本体の開口周縁部も蓋のスカート部が外嵌合しており、この部分を下向きに操作することは困難である。そこで、本発明では、容器本体の下側平面部に指押さえ部を設けて、これを蓋の上側平面部に設けた透孔を挿通して上向きに突出するようにした。このため、指押さえ部を上方から下向きに押さえることによって、容器本体の下側平面部に対し、上側平面部と相対的に離反する方向の力が加えやすく、結果、アンダーカット部の係合解除も容易に行えるものである。
【０００８】
ここで、蓋の開封方法は主として二つある。その一つは、蓋のスカート部は、その外嵌合時に容器本体の開口周縁部よりも長く下方に垂れ下がる長さに形成し、指押さえ部を起点として前記スカート部の下端を上方に押し上げる操作によりアンダーカット部の係合を解除可能とするという手段によって実現される。つまり、この方法では、指押さえ部とスカート部とを二本の指で摘むことによって蓋を開封することができる。
【０００９】
もう一つの方法は、アンダーカット部と開口周縁部との係合力を、指押さえ部を単独で下方に押し下げる操作により解除可能に設定するという手段により実現される。この方法では、指一本で蓋を開封することができる。
【００１０】
上下一対の平面部は、外嵌合時に密着して重なることが好ましい。外部から埃や虫などの異物が入り込むのを防止し、且つ、内容物が乾燥することを防止することができるからである。しかし、少なくとも蓋は、薄肉のプラスチックシートをシート成形したものであるため、成形後の収縮等によって平面部同士に隙間が生じることは、ほぼ不可避である。また、陳列時に容器を積み重ねたときに、蓋に係る荷重によって平面部が若干浮き上がることもある。そこで、本発明では、上下一対の平面部に互いに嵌合する凹溝及び凸条を設けるという手段を用いる。これによれば、凹溝と凸条が嵌合することによってシール部を構成し、容器内の密封性が高まって異物混入や乾燥等の問題を解決することができる。
【００１１】
なお、上下一対の平面部のうち、何れに凹溝を設けるかは任意である。ただし、容器本体の下側平面部に凹溝を設ければ、該凹溝がヒンジとして機能し、指押さえ部を操作することにより下側平面部を下向きに傾けやすくなるため、上側平面部との離反性、即ち易開封性を向上させることができる。特に、容器本体の開口周縁部にもスカート部を形成し、凹溝の両端を前記スカート部に延長して設けることによって、より下側平面部を下方に傾けやすくなって開封が容易となる。
【００１２】
ところで、蓋の平面部には透孔を設けており、成形時には抜き片が発生することになる。このような抜き片は異物であるため、極力発生しないようにすることが好ましい。そこで、本発明では、蓋の透孔には、成形時に該透孔を閉塞し、容器本体への前記蓋の外嵌合時に指押さえ部によって斜め上方に押し上げられるフラップを設けることとした。この手段によれば、蓋の成形時に抜き片が生じることがない。また、蓋の嵌合時にはフラップが透孔の屋根となって異物混入も防止することができる。
【００１３】
さらに、このフラップには、視覚または／および触覚によって蓋の他の部位と識別可能な目印を設けることが好ましい。使用者に、フラップを通じて指押さえ部の位置を確実に認識させることができるからである。なお、目印としては、フラップの表面をエンボスや格子模様、ローレット状模様を付せば、視覚と触覚の双方で識別可能となるが、この他、着色や文字等のプリントによって目印を構成することも本発明に含まれる。
【００１４】
容器本体及び蓋は互いに嵌合するものであれば、容器本体の収納部の構造や、蓋を含めた全体形状は任意である。例えば、容器本体及び蓋を円形、楕円、多角形等によって構成することができる。特に、容器本体及び蓋を平面視矩形に形成した場合には、その四つ角のうち少なくとも一つの角に上下一対の平面部を設けることが好ましい。一つの角においてアンダーカット部の係合を解除すれば、この部分をきっかけとして蓋全体を開封することができるからである。ただし、二以上の角に設けるときは、対角位置にある二つの角それぞれに上下一対の平面部を設けることによって、両手で開封操作を行えるため好ましい。もちろん、開封操作は両手で行うのが限度であるが、四つの角全てに平面部を設けることで、容器がどの向きにあっても開封操作することができる。
【発明の効果】
【００１５】
本発明によれば、開封の基点として容器本体の下側平面部に指押さえ部を設けたので、蓋の一部が他の物に引っ掛かって破損することがなく、また、開封操作を容易に行うことができる。
【図面の簡単な説明】
【００１６】
【図１】本発明の第一実施形態に係る易開封性容器の開封状態を示す斜視図
【図２】同、閉蓋状態を示す斜視図
【図３】図１の部分拡大斜視図
【図４】図３の断面図
【図５】図２の部分拡大断面図
【図６】同、開封の初期段階を示す説明図
【図７】同、開封途中を示す説明図
【図８】同、開封の最終段階を示す説明図
【図９】他の開封方法を示す開封途中の説明図
【図１０】同、開封状態を示す説明図
【図１１】本発明の第二実施形態に係る易開封性容器の開封状態を示した部分拡大斜視図
【図１２】同、閉蓋状態を示した部分拡大斜視図
【図１３】本発明の他の実施形態に係る容器の平面図
【発明を実施するための形態】
【００１７】
以下、本発明の好ましい実施の形態を添付した図面に従って説明する。図１は本発明の第一の実施形態に係る易開封性容器について、容器本体１０と蓋２０を分離した状態、即ち開封状態を示したものであり、図２は容器本体１０に蓋２０を外嵌合装着した状態、即ち閉蓋状態を示したものである。これら容器本体１０と蓋２０は平面視矩形状を成して、何れも薄肉のプラスチックシートをシート成形してなる。
【００１８】
容器本体１０は、収納凹部１１の開口周縁に水平な肩部１２を形成すると共に、該肩部１２と連続してスカート部１３を形成している。また、四つ角のうちの対角２箇所には、三角形状の平面部１４を設けると共に、この平面部１４の中央には山型の指押さえ部１５を上方に突出して設けている。平面部１４は凹溝１６を介して肩部１２と連続すると共に、その外周にはスカート部１３を連続して設けている。
【００１９】
蓋２０は、収納凸部２１の開口周縁に水平な肩部２２を形成すると共に、該肩部２２と連続して、容器本体１０のスカート部１３に外嵌合するスカート部２３を形成している。また、四つ角のうちの対角２箇所には、容器本体１０に外嵌合したときに、その平面部１４と互いに重なる三角形状の平面部２４を設けると共に、この平面部２４の中央には指押さえ部１５が挿通する透孔２５を上下貫通して設けている。平面部２４は容器本体１０の凹溝１６に嵌合する下向きの凸条２６を介して肩部２２と連続すると共に、その外周にはスカート部２３を連続して設けている。
【００２０】
図３は開封状態にある容器本体１０と蓋２０について、上下一対の平面部１４・２４の近傍を拡大した斜視図、図４は断面図であり、容器本体１０のスカート部１３の下端には水平に折り返してフランジ部１７を形成している。一方、蓋２０のスカート部２３の四隅には、内方に窪むアンダーカット部２７を形成している。このアンダーカット部２７は、容器本体１０のスカート部１３のフランジ部１７に弾性的に係脱可能に係合するもので、当該係合によって閉蓋状態を保持するものである。なお、この実施形態では、蓋２０のスカート部２３も、その下端を水平に折り返している。
【００２１】
さらに詳細には、蓋２０のスカート部２３は、図５に示すように、閉蓋状態において容器本体１０のスカート部１３よりも長く下方に垂れ下がる。そして、蓋２０のアンダーカット部２７は、上述したように、容器本体１０のフランジ部１７に下方から係合している。
【００２２】
また、この閉蓋状態において、蓋２０の凸条２６は容器本体１０の凹溝１６に嵌合しており、この部分によって容器のシール構造がなされる。即ち、凸条２６と凹溝１６の嵌合部分は、容器内の湿気が外部に放出したり、外部から容器内に異物が入り込むことを防止している。
【００２３】
次に、図２や図５に示した閉蓋状態の容器について、その開封の手順を図６〜図８に従って説明する。第一実施形態の容器を開封するには、まず容器の角に形成した上下一対の平面部１４・２４を二本の指Ｆ１・Ｆ２で摘むようにする。このようにすると、上側の指Ｆ１は容器本体１０の指押さえ部１５を上から押さえ、下側の指Ｆ２は蓋２０のスカート部２３の折り返し部２８を下から押さえることになる（図６参照）。この状態で指Ｆ１・Ｆ２が接近するように力を入れると、下側の指Ｆ２によって蓋２０のスカート部２３が外方に弾性変形しながら、アンダーカット部２７が容器本体１０のフランジ部１７に乗り上がる（図７参照）。そして、アンダーカット部２７がフランジ部１７を乗り越えることによって、両者の係合が解除される（図８参照）。このとき、アンダーカット部２７がフランジ部１７を乗り越えた瞬間に蓋２０のスカート部２３が元の形状に弾性的に復元し、これに伴ってパチンと音が鳴る。これと同様の操作を対角位置にも行うことによって、図１に示した開封状態となる。
【００２４】
この開封操作では、容器本体１０側の指押さえ部１５は殆ど下方に移動せず、蓋２０側のスカート部２３が弾性的に拡開しながら上方に移動することによって、上下一対の平面部１４・２４を相対的に離反させる。これは、指Ｆ１による指押さえ部１５の下向きの力と、指Ｆ２によるスカート部２３の上向きの力とが、アンダーカット部２７の係合部分において拮抗しているからである。なお、アンダーカット部２７の内向きの突出長を短くするなどして、アンダーカット部２７の係合力を弱めれば、より小さい力で係合解除ができることはもちろんである。
【００２５】
さらに、容器本体１０の平面部１４が僅かでも下向きに弾性的に傾斜することを許容すれば、図９・１０に示したように、指押さえ部１５を指Ｆ１一本で押し込み操作するだけで、アンダーカット部２７の係合を解除することができる。特に、この実施形態では、凹溝１６がヒンジ部として機能して、平面部１４が斜め下に傾く。そして、その過程で、蓋２０のスカート部２３を弾性的に拡開して、アンダーカット部２７の係合を解除するのである（図９参照）。係合解除の瞬間、スカート部２３が元の形状に弾性的に復元してパチンと音が鳴ることは上記実施形態と同じである。そして、係合解除後は、スカート部２３の弾性的復元によって、アンダーカット部２７が容器本体１０のフランジ部１７を乗り越え、指押さえ部１５から指Ｆ１を離すだけで、この部分の開封が完了する（図１０参照）。なお、凹溝１６は図１や図３に示したように、その両端をスカート部１３まで延長して設けることで、指押さえ部１５の押し込み操作による平面部１４の傾斜動作がより容易に行えるようになる。そして、この場合は、蓋２０のスカート部２３を積極的に容器本体１０のスカート部１３よりも長くする必要はない。
【００２６】
図１１・１２は、本発明の第二実施形態に係る容器の部分拡大図である。この第二実施形態では、蓋２０の成形時に透孔２５にフラップ２９を形成している。このフラップ２９は、成形時に一部２９ａを残して切込み２９ｂを形成することで透孔２５を閉塞する形状としている（図１１参照）。このようにフラップ２９を形成することで、蓋２０の成形時に抜き片が発生しない。なお、フラップ２９の形状は任意であり、また、どの部分をヒンジとして残し、どの範囲で切込み２９ｂを形成するかも任意である。
【００２７】
そして、蓋２０を容器本体１０に装着したときには、指押さえ部１５で突き上げられて、一部２９ａをヒンジとして斜め上に起き上がるものである（図１２参照）。この実施形態では、フラップ２９は蓋２０の収納凸部２１側から斜め上に起き上がるものであるから、容器の外方にフラップ２９が出っ張ることがなく、不用意に他の物に引っ掛かることがない。ただし、容器本体１０の指押さえ部１５がフラップ２９によって隠れるため、指押さえ部１５の位置を強調するために、フラップ２９には他の部位と識別可能な目印２９ｃを設けている。この実施形態では、格子模様によって目印２９ｃを構成している。したがって、使用者は格子模様２９ｃによってフラップ２９の存在を認識すると共に、これを押さえることで指押さえ部１５を介し開封操作し得るものと理解することができる。
【００２８】
なお、本発明は、上述した実施形態に限定されず、指押さえ部１５の数は１または３以上とすることができ、また、指押さえ部１５の形状も断面を山型（ドーム形）とする以外に四角、台形等とすることもできる。また、上記実施形態では、容器本体１０の開口周縁部としてスカート部１３及びフランジ部１７を形成しているが、スカート部１３を省略して、肩部１２からそのままフランジ部１７を延成したものを開口周縁部としてもよい。
【００２９】
さらに、容器本体１０や蓋２０の全体形状も平面視矩形に限定されず、その他の多角形、あるいは円形や楕円形であってもよい。ここで、多角形とした場合は、その角を上下一対の平面部として構成し、指押さえ部及び透孔を形成することが好ましいが、円形や楕円形では、このような角がない。そこで、図１３では、外周ラインから突出して上下一対の平面部１４・２４を形成した例と（同図（ａ）参照）、外周ラインを変更せずに当該ラインよりも内側に上下一対の平面部１４・２４を形成した例とを示した（同図（ｂ）参照）。このうち、（ａ）の例では容器の容量を最大に確保できる反面、上下一対の平面部１４・２４が容器外に迫り出してしまう。一方、（ｂ）の例では迫り出し部分がない反面、上下一対の平面部１４・２４によって（ａ）よりも減容を余儀なくされる。ただし、何れも本発明に含まれる。
【００３０】
さらにまた、上記実施形態では容器本体１０と蓋２０の双方ともシート成形したものであることを例示したが、容器本体１０はシート成形以外の成形方法で得たものであってもよい。つまり、容器本体１０を発泡樹脂成形あるいはインジェクション成形すれば、内容物の保護機能に優れ、また、鮮魚などの重量が大きいものも収容することができる。
【符号の説明】
【００３１】
１０  容器本体
１１  収納凹部
１２  肩部
１３  スカート部
１４  平面部（下側）
１５  指押さえ部
１６  凹溝
１７  フランジ部
２０  蓋
２１  首脳凸部
２２  肩部
２３  スカート部
２４  平面部（上側）
２５  透孔
２６  凸条
２７  アンダーカット部
２８  折り返し部
２９  フラップ
【図１】
2017007670.tif 000003
【図２】
2017007670.tif 000004
【図３】
2017007670.tif 000005
【図４】
2017007670.tif 000006
【図５】
2017007670.tif 000007
【図６】
2017007670.tif 000008
【図７】
2017007670.tif 000009
【図８】
2017007670.tif 000010
【図９】
2017007670.tif 000011
【図１０】
2017007670.tif 000012
【図１１】
2017007670.tif 000013
【図１２】
2017007670.tif 000014
【図１３】
2017007670.tif 000015
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
収納凹部を有した容器本体と、該容器本体の前記収納凹部の開口周縁部に外嵌合するスカート部に前記開口周縁部に弾性的に係脱可能なアンダーカット部を有してシート成形した蓋とを備え、
前記容器本体及び前記蓋には、前記アンダーカット部が前記開口周縁部に係合する部分において互いに重なる平面部を上下一対に設け、
前記蓋に設けた上側の前記平面部には透孔を設ける一方、
前記容器本体に設けた下側の前記平面部には、前記透孔を挿通して上向きに突出する指押さえ部を一体に設け、
該指押さえ部を上方から下向きに押さえて前記下側平面部と前記上側平面部とを相対的に離反させる操作により、前記容器本体の前記開口周縁部と前記蓋の前記アンダーカット部との係合を解除可能とすると共に、
前記下側の平面部の前記指押さえ部と前記収納凹部の間には下向きに窪む凹溝を設けると共に、前記上側の平面部には前記アンダーカット部が前記開口周縁部に係合するときに前記凹溝に嵌合する下向きの凸条を設けたことを特徴とする易開封性容器。
【請求項２】
蓋のスカート部は、その外嵌合時に容器本体の開口周縁部よりも長く下方に垂れ下がる長さに形成し、指押さえ部を起点として前記スカート部の下端を上方に押し上げる操作によりアンダーカット部の係合を解除可能とした請求項１記載の易開封性容器。
【請求項３】
アンダーカット部と開口周縁部との係合力を、指押さえ部を単独で下方に押し下げる操作により解除可能に設定した請求項１記載の易開封性容器。
【請求項４】
容器本体の開口周縁部にもスカート部を形成し、該スカート部に凹溝の両端を延長して設けた請求項１、２または３記載の易開封性容器。
【請求項５】
蓋の透孔には、成形時に該透孔を閉塞し、容器本体への前記蓋の外嵌合時に指押さえ部によって斜め上方に押し上げられるフラップを設けた請求項１から４のうち何れか一項記載の易開封性容器。
【請求項６】
フラップは、視覚または／および触覚によって他の部位と識別可能である請求項５記載の易開封性容器。
【請求項７】
容器本体及び蓋は平面視矩形に形成し、その四つ角のうち少なくとも一つの角に上下一対の平面部を設けた請求項１から６のうち何れか一項記載の易開封性容器。
【手続補正２】
【補正対象書類名】明細書
【補正対象項目名】０００６
【補正方法】変更
【補正の内容】
【０００６】
上述した目的を達成するために本発明では、収納凹部を有した容器本体と、該容器本体の前記収納凹部の開口周縁部に外嵌合するスカート部を有する蓋とを備えて、少なくとも前記蓋はシート成形すると共に、該蓋の前記スカート部には、その外嵌合時に前記容器本体の開口周縁部に弾性的に係脱可能に係合するアンダーカット部を形成した容器であることを基本的構成とする。そのうえで、前記容器本体及び前記蓋には、前記アンダーカット部が前記開口周縁部に係合する部分において互いに重なる平面部を上下一対に設ける。このうち前記蓋に設けた上側の前記平面部には透孔を設ける一方、前記容器本体に設けた下側の前記平面部には、前記透孔を挿通して上向きに突出する指押さえ部を一体に設ける。そして、該指押さえ部を上方から下向きに押さえて前記下側平面部と前記上側平面部とを相対的に離反させる操作により、前記容器本体の前記開口周縁部と前記蓋の前記アンダーカット部との係合を解除可能とするという手段を用いた。
【手続補正３】
【補正対象書類名】明細書
【補正対象項目名】００１１
【補正方法】変更
【補正の内容】
【００１１】
なお、上下一対の平面部のうち、何れに凹溝を設けるかは任意である。ただし、容器本体の下側平面部の前記指押さえ部と前記収納凹部の間に下向きに窪む凹溝を設ければ、該凹溝がヒンジとして機能し、指押さえ部を操作することにより下側平面部を下向きに傾けやすくなるため、上側平面部との離反性、即ち易開封性を向上させることができる。特に、容器本体の開口周縁部にもスカート部を形成し、凹溝の両端を前記スカート部に延長して設けることによって、より下側平面部を下方に傾けやすくなって開封が容易となる。
【手続補正書】
【提出日】平成28年8月10日(2016.8.10)
【手続補正１】
【補正対象書類名】明細書
【補正対象項目名】０００３
【補正方法】変更
【補正の内容】
【０００３】
【特許文献１】特開２０１４−２０１３５３号公報